(57)【要約】【課題】従来の電源回路では、電源プラグが交流電源から切断されたことを検知する停電検知回路が必要であり、待機時の消費電力を小さくすることに限界があった。【解決手段】ノイズ防止用のコンデンサ３と放電抵抗４を並列接続し、コンデンサ３と待機時に開放動作する回路遮断手段５を直列状態でＡＣライン間に接続する。この構成により、動作時はコンデンサ３がＡＣライン間に接続され負荷２から発生する電気ノイズが交流電源に伝播することを防ぎ、電源プラグ１を交流電源から切断した場合はコンデンサ３に並列接続されている放電抵抗４がコンデンサ３の残留電圧を放電し、待機状態時にはコンデンサ３がＡＣラインから切断されるので電源プラブ１に残留電圧が発生することがなく不安全とならず、放電抵抗４がＡＣラインから切断されて電力を消費せず待機状態の消費電力を小さくできる。【選択図】図１
2005110472.tif 000002
【特許請求の範囲】
【請求項１】
交流電源に接続される電源プラグと、前記電源プラグのそれぞれの両端につながる電気ライン（以降、ＡＣラインと表現する）間に接続される負荷と、前記負荷から発生する電気ノイズが交流電源に伝播することを防ぐ目的で設けられるコンデンサと、前記電源プラグが交流電源から切断されたときに前記コンデンサに残る電荷を放電させる目的で設けられる放電抵抗と、前記電源プラグが交流電源に接続されて、かつ前記負荷が停止している状態（以降、待機状態と表現する）に開放動作する回路遮断手段から構成され、前記コンデンサと前記放電抵抗が並列接続され、前記コンデンサと前記回路遮断手段が直列状態でＡＣライン間に接続されていることを特徴とする電源回路。
【請求項２】
交流電源が遮断されたことを検知すると負荷を安全に停止させる停電検知回路がコンデンサに並列接続されていること特徴とする請求項１に記載の電源回路。
【請求項３】
交流電源が遮断されたことを検知すると負荷を安全に停止させると共に停電信号を発生する第二の停電検知回路と回路遮断手段が直列状態でＡＣライン間に接続され、前記第二の停電検知回路からの停電信号で開放動作する第二の回路遮断手段とコンデンサが直列状態でＡＣライン間に接続されていることを特徴とする請求項１に記載の電源回路。
【請求項４】
第二の停電検知回路とコンデンサが並列に接続され、待機状態時に開放動作すると共に前記第二の停電検知回路からの停電信号によっても開放動作する第三の回路遮断手段と前記コンデンサが直列状態でＡＣライン間に接続されていることを特徴とする請求項１に記載の電源回路。
【発明の詳細な説明】
【技術分野】
【０００１】
本発明は、交流電源に電源プラグにて接続する機器の電源回路に関するものである。
【背景技術】
【０００２】
従来の電源回路としてはノイズ防止コンデンサと放電抵抗がＡＣライン間に常時接続されているものがあった（例えば特許文献１参照）。図５は特許文献１に記載された従来の電源回路の構成を示すブロック図である。
【０００３】
図５において、交流電源に接続する電源プラグ１とＡＣライン間に接続される負荷２と負荷２から発生する電気ノイズが交流電源に伝播することを防ぐコンデンサ３と電源プラグ１を交流電源から切断直後に電源プラグ１に残留する電圧による不安全を防止するためにコンデンサ３の残留電圧を放電する放電抵抗４から構成され、待機状態時においても放電抵抗４が電力を消費するため、待機状態時の消費電力が大きいという課題があった。放電抵抗４による無駄な消費電力を小さくする為に放電抵抗４の抵抗値を大きくする場合は、コンデンサ３の残留電圧を放電させる為に相対的にコンデンサ３の容量も小さくする必要があり、交流電源に伝播する電源ノイズが増えるという課題があった。これらの課題に対応した電源回路として、特許文献１，２，３，４に記載されているものがある。
【０００４】
図６は前記特許文献１、３、４に記載された電源回路の構成を示している。図６において図５と同じ構成要素は同じ番号を付与し説明を省略する。交流電源が遮断されると停電信号を発生する第三の停電検知回路１０がＡＣライン間に接続され、前記第三の停電検知回路１０からの停電信号により短絡動作する第四の回路遮断手段１１と放電抵抗４が直列状態でＡＣライン間に接続されている。この構成とすることで電源プラグ１を交流電源から切断した場合は、コンデンサ３に放電抵抗４が接続され、電源プラグ１が交流電源に接続されている場合は放電抵抗４がＡＣラインから切断されるので、待機状態時の消費電力を小さくすることができる。
【０００５】
図７は、図６に記載の電源回路で第三の停電検知回路１０を、交流電源が遮断されると停電信号を発生すると共に負荷２を安全に停止させる第二の停電検知回路７に置き換えたものである。電源プラグ１が交流電源から切断された場合に放電抵抗４がＡＣライン間に接続される動作は図６記載の電源回路と同じである。
【０００６】
図８は、前記特許文献２に記載された電源回路の構成を示している。図８において、図５、図６と同じ構成要素は同じ番号を付与し説明を省略する。第三の停電検知回路１０からの停電信号により開放動作となる第二の回路遮断手段８とコンデンサ３が直列状態でＡＣライン間に接続されている。この構成とすることで、電源プラグ１を交流電源から切断した場合はコンデンサ３がＡＣラインから切り離されるので電源プラグ１に残留電圧が発生せず放電抵抗４が不必要であり、待機状態時の消費電力を小さくすることができる。
【特許文献１】特開平１１−１７７３６９号公報
【特許文献２】特開平６−２４５３８２号公報
【特許文献３】特開２００２−４８３７５号公報
【特許文献４】特開平３−２７７７４号公報
【発明の開示】
【発明が解決しようとする課題】
【０００７】
しかしながら、図６、図７、図８に示される従来の電源回路では、電源プラグ１が交流電源から切断されたことを検知する為にＡＣライン間に第三の停電検知回路１０または第
二の停電検知回路７を接続することが必要であり、第三の停電検知回路１０または第二の停電検知回路７が電力を消費するために、待機時の消費電力を小さくすることに限界があった。
【０００８】
本発明は前記従来の課題を解決するもので、待機時の消費電力を小さくした電源回路を提供することを目的とする。
【課題を解決するための手段】
【０００９】
前記従来の問題を解決するために本発明の電源回路は、待機時と動作時で回路遮断手段により回路構成を切り替えることで、待機状態時の消費電力を小さくするものである。
【発明の効果】
【００１０】
以上のように、本発明の電源回路によれば、待機時と動作時で回路遮断手段により回路構成を切り替えることで、待機状態時の消費電力を小さくすることができる。
【発明を実施するための最良の形態】
【００１１】
以下本発明の実施の形態について図面を参照しながら説明する。
【００１２】
（実施の形態１）
図１は、本発明の実施の形態１における電源回路の構成を示すブロック図である。
【００１３】
図１において交流電源に接続される電源プラグ１と、ＡＣライン間に接続される負荷２と、負荷２から発生する電気ノイズが交流電源に伝播することを防ぐ目的で設けられるコンデンサ３と、電源プラグ１が交流電源から切断されたときに前記コンデンサ３に残る電荷を放電させる目的で設けられる放電抵抗４と、待機状態時に負荷２からの待機信号により開放動作する回路遮断手段５から構成され、コンデンサ３と放電抵抗４が並列接続され、コンデンサ３と回路遮断手段５が直列状態でＡＣライン間に接続されている。この構成とすることで、負荷２が動作時はコンデンサ３がＡＣライン間に接続されるため負荷２から発生する電気ノイズが交流電源に伝播することを防ぐことが可能であり、負荷２が動作時に電源プラグ１を交流電源から切断した場合は放電抵抗４がコンデンサ３に並列接続されているのでコンデンサ３の残留電圧を放電することが可能である。また待機状態時に電源プラグ１を交流電源から切断した場合は放電抵抗４がＡＣラインから切断されているので電源プラブ１に残留電圧が発生することがなく不安全とならず、放電抵抗４がＡＣラインから切断されているので放電抵抗４が電力を消費せず待機状態の消費電力を小さくできる。なお、待機状態時にコンデンサ３がＡＣラインから切断されるが負荷２が停止状態であるので電気ノイズは発生しないか小さく、問題になることはない。必要ならばコンデンサ３を切り離すのではなく小容量に切替えてもよい。
【００１４】
（実施の形態２）
図２は、本発明の実施の形態２における電源回路の構成を示すブロック図である。図２において、図１と同じ構成要素については同じ符号を用い、説明を省略する。
【００１５】
図２において、交流電源が遮断されたことを検知すると負荷を安全に停止させる停電検知回路６がコンデンサ３に並列接続されている。この構成とすることで、負荷２が動作時に交流電源が遮断された場合に負荷２を安全に停止させることが可能であると同時に、待機状態時には停電検知回路６がＡＣラインから切断されるので待機状態時の消費電力を小さくすることができる。なお、待機状態時には停電検知回路６がＡＣラインから切り離され交流電源の遮断を検知できないが、待機状態時は負荷２は停止しているので問題とならない。
【００１６】
（実施の形態３）
図３は、本発明の実施の形態３における電源回路である。図３において、図１と同じ構成要素に付いては同じ符号を用い、説明を省略する。交流電源が遮断されたことを検知すると負荷２を安全に停止させると共に停電信号を発生する第二の停電検知回路７と回路遮断手段５が直列状態でＡＣライン間に接続され、第二の停電検知回路７からの停電信号で開放動作する第二の回路遮断手段８とコンデンサ３が直列状態でＡＣライン間に接続されている。このような構成とすることで、図１に記載の電源回路と同様に待機状態時の消費電力が小さく、図２に記載の電源回路と同様に負荷２が動作中に交流電源が遮断された場合も負荷を安全に停止させることが可能で、図２に記載の電源回路と比較して放電抵抗４が存在せず負荷２が動作時の消費電力も小さくすることができる。
【００１７】
（実施の形態４）
図４は、本発明の実施の形態４における電源回路の構成を示すブロック図である。図４において、図１と同じ構成要素に付いては同じ符号を用い、説明を省略する。
【００１８】
図４において、第二の停電検知回路７とコンデンサ３が並列に接続され、待機状態時に負荷２からの待機信号により開放動作すると共に前記第二の停電検知回路７からの停電信号によっても開放動作する第三の回路遮断手段９とコンデンサ３が直列状態でＡＣライン間に接続されている。この構成とすることで、図１に記載の電源回路と同様に待機状態時の消費電力が小さく、図２に記載の電源回路と同様に負荷２が動作中に交流電源が遮断された場合も負荷を安全に停止させることが可能で、図３に記載の電源回路と同じく動作時の消費電力も小さくすることができ、図３に記載の電源回路と比較して回路遮断手段の個数が少なく、より少ない部品点数で電源回路を実現する事ができる。
【産業上の利用可能性】
【００１９】
以上のように、本発明にかかる電源回路は、電気ノイズの交流電源への伝播と電源プラグの残留電圧の発生を防ぎつつ待機状態の消費電力を小さくできるので、空気調和機等の発生ノイズが大きく商用電源に接続したままで動作していない待機状態が長い電気機器の用途に適用できる。
【図面の簡単な説明】
【００２０】
【図１】本発明の実施の形態１における電源回路の構成を示すブロック図
【図２】本発明の実施の形態２における電源回路の構成を示すブロック図
【図３】本発明の実施の形態３における電源回路の構成を示すブロック図
【図４】本発明の実施の形態４における電源回路の構成を示すブロック図
【図５】従来の電源回路の構成を示すブロック図
【図６】従来技術の対策を取り入れた電源回路の構成を示すブロック図
【図７】従来技術の対策を取り入れた別の電源回路の構成を示すブロック図
【図８】別の従来技術の対策を取り入れた別の電源回路の構成を示すブロック図
【符号の説明】
【００２１】
１  電源プラグ
２  負荷
３  コンデンサ
４  放電抵抗
５  回路遮断手段
６  停電検知回路
７  第二の停電検知回路
８  第二の回路遮断手段
９  第三の回路遮断手段
１０  第三の停電検知回路
１１  第四の回路遮断手段
【図１】
2005110472.tif 000003
【図２】
2005110472.tif 000004
【図３】
2005110472.tif 000005
【図４】
2005110472.tif 000006
【図５】
2005110472.tif 000007
【図６】
2005110472.tif 000008
【図７】
2005110472.tif 000009
【図８】
2005110472.tif 000010